【手続補正書】
【提出日】平成24年3月8日(2012.3.8)
【手続補正１】
【補正対象書類名】明細書
【補正対象項目名】０００８
【補正方法】変更
【補正の内容】
【０００８】
また、好ましい態様として、更に、自己の撮像装置が撮影準備段階にあるか否かを判断する判断手段と、前記判断手段により撮影準備段階にあると判断されているときには、前記表示制御手段により他の撮像装置から受信した画像データが割り込み表示される動作を制限する制限手段と、を更に備えたことを特徴とする。
【手続補正２】
【補正対象書類名】明細書
【補正対象項目名】０００９
【補正方法】変更
【補正の内容】
【０００９】
また、好ましい態様として、更に、前記判断手段は、他の撮像装置から画像転送割り込み要求があった際に、自己の撮像装置がシャッタ半押し状態、あるいは、自動撮影条件を満足しつつある状態である場合には、前記撮影準備段階にあると判断し、前記制限手段は、他の撮像装置から画像転送割り込み要求があった際に、前記判断手段により撮影準備段階にあると判断された場合には、他の撮像装置からの画像を表示しないか、または前記撮像手段により取り込まれる画像を前記表示手段の一部に縮小表示させることを特徴とする。
【手続補正３】
【補正対象書類名】明細書
【補正対象項目名】００１０
【補正方法】変更
【補正の内容】
【００１０】
また、好ましい態様として、更に、前記表示制御手段は、他の撮像装置から画像を受信すると、前記撮像手段により取り込まれる画像に代えて、受信した画像データを前記表示手段に一定時間表示させた後、再び、前記撮像手段により取り込まれる画像のスルー表示に復帰させることを特徴とする。
【手続補正４】
【補正対象書類名】明細書
【補正対象項目名】００１１
【補正方法】変更
【補正の内容】
【００１１】
また、好ましい態様として、更に、他の撮像装置からの画像転送割り込み要求があった際に、前記撮像手段により動画撮影中であった場合には、他の撮像装置からの画像を表示することなく、画像送信割り込みがあったことを報知する報知手段を更に備えることを特徴とする。
【手続補正５】
【補正対象書類名】明細書
【補正対象項目名】００１２
【補正方法】変更
【補正の内容】
【００１２】
また、好ましい態様として、更に、前記受信手段は、無線通信を利用し、通信可能な距離にある他の撮像装置から画像データを受信することを特徴とする。
【手続補正６】
【補正対象書類名】明細書
【補正対象項目名】００１３
【補正方法】変更
【補正の内容】
【００１３】
また、好ましい態様として、更に、前記転送手段は、自己の撮像装置で前記撮像手段による撮影が行われた場合に、その撮影タイミングで、近くに存在する他の撮像装置へ自己の撮影画像を送信することを特徴とする。
【手続補正７】
【補正対象書類名】明細書
【補正対象項目名】００１４
【補正方法】変更
【補正の内容】
【００１４】
また、好ましい態様として、更に、複数の撮像装置の各々に対して、それぞれの撮像装置の画像に対する割り込み表示する際のエフェクト種別を対応付けて記憶するエフェクト種別情報記憶手段を更に備え、前記表示制御手段は、前記受信手段により他の撮像装置から画像を受信すると、前記エフェクト種別情報記憶手段に記憶されている、該当撮像装置に対応するエフェクト種別に基づくエフェクトを施しながら、前記他の撮像装置からの画像を前記表示手段に割り込み表示させることを特徴とする。
【手続補正８】
【補正対象書類名】明細書
【補正対象項目名】００１５
【補正方法】変更
【補正の内容】
【００１５】
また、好ましい態様として、更に、自己の撮像装置で撮影した複数の画像を前記表示手段で再生する際、前記受信手段により他の撮像装置からの複数の画像を一括受信する受信制御手段と、前記受信手段により受信した前記他の撮像装置からの複数の画像と自己の撮像装置で撮影された複数の画像とを、撮影に用いた撮像装置の区別無く、所定の基準に基づく順番で、前記エフェクト種別情報記憶手段に記憶されている、各画像を撮影した撮像装置に対応するエフェクト種別に基づくエフェクトを施しながら、スライドショー形態で再生表示させるスライドショー表示制御手段とを更に備えることを特徴とする。
【手続補正９】
【補正対象書類名】明細書
【補正対象項目名】００１６
【補正方法】変更
【補正の内容】
【００１６】
また、好ましい態様として、更に、前記他の撮像装置の画像を再生表示させる際のエフェクトに加えて、撮像装置毎に異なる音声を各画像の再生表示中に同時再生する音声再生手段を更に備えることを特徴とする。
【手続補正１０】
【補正対象書類名】明細書
【補正対象項目名】００１７
【補正方法】変更
【補正の内容】
【００１７】
また、好ましい態様として、更に、自己の撮像装置のエフェクト種別を決定するエフェクト種別決定手段と、前記エフェクト種別決定手段により決定したエフェクト種別を、撮影画像とともに画像転送先の撮像装置へ転送する転送手段とを更に備えることを特徴とする。
【手続補正１１】
【補正対象書類名】明細書
【補正対象項目名】００１８
【補正方法】変更
【補正の内容】
【００１８】
また、好ましい態様として、更に、前記転送手段は、前記エフェクト種別決定手段により決定したエフェクト種別を、撮影画像に施してから前記画像転送先の撮像装置へ転送することを特徴とする。
【手続補正１２】
【補正対象書類名】特許請求の範囲
【補正対象項目名】全文
【補正方法】変更
【補正の内容】
【特許請求の範囲】
【請求項１】
撮像手段と、
前記撮像手段により取り込まれる画像をスルー表示する表示手段と、
他の撮像装置からの画像データを受信する受信手段と、
前記撮像手段により取り込まれる画像を前記表示手段にスルー表示しているとき、前記受信手段により他の撮像装置から画像を受信すると、該受信した画像データを、前記表示手段に割り込み表示させる表示制御手段と
を備えることを特徴とする撮像装置。
【請求項２】
自己の撮像装置が撮影準備段階にあるか否かを判断する判断手段と、
前記判断手段により撮影準備段階にあると判断されているときには、前記表示制御手段により他の撮像装置から受信した画像データが割り込み表示される動作を制限する制限手段と、
を更に備えたことを特徴とする請求項１記載の撮像装置。
【請求項３】
前記判断手段は、他の撮像装置から画像転送割り込み要求があった際に、自己の撮像装置がシャッタ半押し状態、あるいは、自動撮影条件を満足しつつある状態である場合には、前記撮影準備段階にあると判断し、
前記制限手段は、他の撮像装置から画像転送割り込み要求があった際に、前記判断手段により撮影準備段階にあると判断された場合には、他の撮像装置からの画像を表示しないか、または前記撮像手段により取り込まれる画像を前記表示手段の一部に縮小表示させることを特徴とする請求項２に記載の撮像装置。
【請求項４】
前記表示制御手段は、
他の撮像装置から画像を受信すると、前記撮像手段により取り込まれる画像に代えて、受信した画像データを前記表示手段に一定時間表示させた後、再び、前記撮像手段により取り込まれる画像のスルー表示に復帰させることを特徴とする請求項１乃至３のいずれかに記載の撮像装置。
【請求項５】
他の撮像装置からの画像転送割り込み要求があった際に、前記撮像手段により動画撮影中であった場合には、他の撮像装置からの画像を表示することなく、画像送信割り込みがあったことを報知する報知手段を更に備えることを特徴とする請求項１乃至４のいずれかに記載の撮像装置。
【請求項６】
前記受信手段は、
無線通信を利用し、通信可能な距離にある他の撮像装置から画像データを受信することを特徴とする請求項１乃至５のいずれかに記載の撮像装置。
【請求項７】
前記転送手段は、
自己の撮像装置で前記撮像手段による撮影が行われた場合に、その撮影タイミングで、近くに存在する他の撮像装置へ自己の撮影画像を送信することを特徴とする請求項１乃至６のいずれかに記載の撮像装置。
【請求項８】
複数の撮像装置の各々に対して、それぞれの撮像装置の画像に対する割り込み表示する際のエフェクト種別を対応付けて記憶するエフェクト種別情報記憶手段を更に備え、
前記表示制御手段は、
前記受信手段により他の撮像装置から画像を受信すると、前記エフェクト種別情報記憶手段に記憶されている、該当撮像装置に対応するエフェクト種別に基づくエフェクトを施しながら、前記他の撮像装置からの画像を前記表示手段に割り込み表示させることを特徴とする請求項１乃至７のいずれかに記載の撮像装置。
【請求項９】
自己の撮像装置で撮影した複数の画像を前記表示手段で再生する際、前記受信手段により他の撮像装置からの複数の画像を一括受信する受信制御手段と、
前記受信手段により受信した前記他の撮像装置からの複数の画像と自己の撮像装置で撮影された複数の画像とを、撮影に用いた撮像装置の区別無く、所定の基準に基づく順番で、前記エフェクト種別情報記憶手段に記憶されている、各画像を撮影した撮像装置に対応するエフェクト種別に基づくエフェクトを施しながら、スライドショー形態で再生表示させるスライドショー表示制御手段と
を更に備えることを特徴とする請求項８記載の撮像装置。
【請求項１０】
前記他の撮像装置の画像を再生表示させる際のエフェクトに加えて、撮像装置毎に異なる音声を各画像の再生表示中に同時再生する音声再生手段を更に備えることを特徴とする請求項８または９に記載の撮像装置。
【請求項１１】
自己の撮像装置のエフェクト種別を決定するエフェクト種別決定手段と、
前記エフェクト種別決定手段により決定したエフェクト種別を、撮影画像とともに画像転送先の撮像装置へ転送する転送手段と
を更に備えることを特徴とする請求項８乃至１０のいずれかに記載の撮像装置。
【請求項１２】
前記転送手段は、
前記エフェクト種別決定手段により決定したエフェクト種別を、撮影画像に施してから前記画像転送先の撮像装置へ転送することを特徴とする請求項１１記載の撮像装置。
【請求項１３】
撮像部により取り込まれる画像を表示部にスルー表示する再生方法であって、
他の撮像装置からの画像を受信するステップと、
前記撮像部により取り込まれる画像を前記表示部にスルー表示しているとき、前記他の撮像装置から画像を受信すると、該受信した画像を、前記表示部に割り込み表示させるステップと
を含むことを特徴とする再生方法。
【請求項１４】
撮像部により取り込まれる画像を表示部にスルー表示する撮像装置のコンピュータに、
他の撮像装置からの画像を受信する受信機能、
前記撮像部により取り込まれる画像を前記表示部にスルー表示しているとき、前記他の撮像装置から画像を受信すると、該受信した画像を、前記表示部に割り込み表示させる表示制御機能
を実行させることを特徴とするプログラム。